(57)【特許請求の範囲】
【請求項１】
中空管状の下部パイプ１と、前記下部パイプ１の上端に嵌合する上部パイプ２と、前記上部パイプ２を下部パイプ１の上部に選択的に固定し、長さを調節する長さ調節部３と、を備える安全サポートにおいて、
前記長さ調節部３は、中空管状であり、下端は下部パイプ１に固着され、外周面にはねじ山３１１が形成され、内周面の上部には下部に進むにつれて直径が小さくなる先細まり部３１２が形成される連結具３１と、
内部に嵌め込まれる上部パイプ２を固定するために複数個が等分割されて下部の一部が前記連結具３１の先細まり部３１２に収納されるものであり、上部の外周面に係止溝３２１が形成される楔部３２と、
内周面に雌ねじ山３３１が形成されて前記連結具３１の上部の外周面に螺合するものであり、前記楔部３２の係止溝３２１の内部に上下動可能に嵌め込まれる楔係止突起３３２が上端の内側に形成される第１の回転調節部３３と、
を備えるが、
前記楔部３２の内周面の下端から所定の高さまで円周方向に第１の鋸歯部３２２が形成され、前記第１の鋸歯部３２２の上部から内周面の上端まで円周方向に第２の鋸歯部３２３が形成され、
前記第１の鋸歯部３２２及び第２の鋸歯部３２３のうちのいずれか一つは、上部パイプ２の下方移動を抑えるために斜め上向きに形成され、残りの一つは上部パイプ２の上方移動を抑えるために斜め下向きに形成されるか、あるいは、山状に形成されることを特徴とする安全サポート。
【請求項２】
前記第１の鋸歯部３２２は、斜め上向きに形成され、第２の鋸歯部３２３は、斜め下向きに形成されるか、あるいは、山状に形成されることを特徴とする請求項１に記載の安全サポート。
【請求項３】
前記連結具３１は、上部の第１の連結具３１ａ及び下部の第２の連結具３１ｂに分割されて形成されるが、
前記第１の連結具３１ａ及び第２の連結具３１ｂの外周面にはねじ山３１１が形成されて、
第１の連結具３１ａの上部の外周面には前記第１の回転調節部３３が螺合し、前記第１の連結具３１ａの下部及び第２の連結具３１ｂの外周面には、内周面に雌ねじ山３４１が形成されて回転により第１の連結具３１ａと第２の連結具３１ｂとの間の距離を調節する第２の回転調節部３４が螺合することを特徴とする請求項１に記載の安全サポート。
【請求項４】
前記第２の連結具３１ｂの下端の内周面には段付部３１３が形成されて前記下部パイプ１は段付部３１３に締まりばめされることを特徴とする請求項３に記載の安全サポート。
【請求項５】
前記第１の連結具３１ａ及び第２の連結具３１ｂは、第１の連結具３１ａの下端が第２の連結具３１ｂの上端に嵌め込まれるか、あるいは、第２の連結具３１ｂの上端が第１の連結具３１ａの下端に嵌め込まれるように構成されて、前記第１の連結具３１ａの下部及び第２の連結具３１ｂの上部の一部が重なり合うことを特徴とする請求項３に記載の安全サポート。
【請求項６】
前記第１の連結具３１ａの下部及び第２の連結具３１ｂの上部の重なり合って接する面には、上下垂直方向にガイド突起３１４及びガイド溝部３１５がそれぞれ配設されることを特徴とする請求項５に記載の安全サポート。
【発明の詳細な説明】
【技術分野】
【０００１】
本発明は、上下部パイプの長さを調節する長さ調節部の楔部の内部に第２の鋸歯部を配設することから、引っ張り力が働いたり、外力により第１の回転調節部が回転したりする場合であっても、上部パイプの固定の解放や滑動を防いで安定性を向上させる安全サポートに関する。
【背景技術】
【０００２】
最近、架設材の崩壊による事故が頻発しており、特に、鉄筋コンクリート構造物の鋳型及び床づか用支柱などとして用いられるサポートの設置又は取り壊し中に事故が頻発する。
【０００３】
図１に示す従来の在来式サポート１は、上部パイプ３０に複数の孔３１を穿孔し、下部パイプ２０に長孔２１を形成して、上部パイプ３０のいずれか一つの孔３１に固定ピン１０を貫通させて固定した後、調整ナット４０を回転させてサポート１の細部高さを調節する（例えば、下記の特許文献１参照）。
【０００４】
しかしながら、このような在来式サポート１は、上部パイプ３０及び下部パイプ２０に孔を穿孔することを余儀なくされるため、断面損失が生じる。特に、主として圧縮力を受けるサポート１は、断面の一部に損失がある場合、座屈に非常に弱いという問題がある。
【０００５】
これに加えて、上部パイプ３０の外周と下部パイプ２０の内周との間に所定の隙間が存在して上部パイプ３０が下部パイプ２０に強固に固定されないが故に、圧縮力が働くときに偏心が発生してサポート１が折れ曲がってしまう虞があるという問題がある。これにより、サポート１の長さが長くなればなるほど、許容荷重が正常に支持できない場合が多い。
【０００６】
また、調整ナット４０が固定ピン１０の下部に配設されて上部荷重を支持するが故に、引っ張り力には全く抵抗できない。
【０００７】
この理由から、図２に示すように、ストッパー１１０、１２０を用いて上部パイプ２０を固定して安定的に且つ強固に荷重を支持する建築用サポートが開発されている（例えば、下記の特許文献２参照）
通常、架設材は、永久的に固定された構造ではないため、設置、取り壊し又は存置の過程中に横荷重、風荷重、作業衝撃荷重などに応じて予期しない引っ張り力が働く場合が多い。
【０００８】
しかしながら、例えば、前記の特許文献２に記載のサポートは、引っ張り荷重が働いたり外部の衝撃により外部ストッパー１２０が反対方向に回転したりする場合、上部パイプ２０が内部ストッパー１１０から直ちに離脱して固定が解放され、これは、安全事故につながる虞がある。
【０００９】
また、垂直材、水平材及び傾斜材などを工場で製作して現場で組み立てるシステム足場は、荷重条件に応じて一部の部材において引っ張り力が生じる虞があるが、上述したサポートは、引っ張り力が生じたときに崩壊する虞があるため使えないという問題がある。
【００１０】
さらに、サポートを設置するに際しては、サポートの長さに合わせて上部パイプ２０を下部パイプ１０から引き出したり上部パイプ２０を下部パイプ１０に引き込んだりして予備的に固定した後、上部部材の水平を合わせるために微細調整を行ってサポートの高さを設定しなければならない。しかしながら、例えば、前記特許文献２に記載のサポートは、上部パイプ２０の位置を固定した後には、このような微細調整を行うことができないため、サポートの高さを調節することが困難であった。
【先行技術文献】
【特許文献】
【００１１】
【特許文献１】大韓民国実用新案第２０−０２９１５３１号
【特許文献２】大韓民国登録第１０−０９７９８１７号
【発明の概要】
【発明が解決しようとする課題】
【００１２】
本発明は、上記従来技術に鑑みてなされたものであって、本発明の目的は、外部の衝撃や引っ張り力が働くときに上部パイプの固定の解放や滑動を防いで安定性を高める安全サポートを提供することにある。
【００１３】
本発明の他の目的は、引っ張り力が働いた場合であっても安定的に使用可能であることから、システム足場にも適用される安全サポートを提供することにある。
【００１４】
本発明の他の目的は、サポートを構成する上下部パイプに穿孔をしないことから、断面の損失による座屈の危険性を遮断する安全サポートを提供することにある。
【００１５】
本発明の他の目的は、上部パイプの位置が微細に調整可能であることから、上部部材の水平を合わせながらサポートの高さを正確に調節する安全サポートを提供することにある。
【課題を解決するための手段】
【００１６】
上記目的を達成するためになされた本発明による安全サポートは、中空管状の下部パイプと、前記下部パイプの上端に嵌合する上部パイプと、前記上部パイプを下部パイプの上部に選択的に固定し、長さを調節する長さ調節部と、を備える安全サポートにおいて、前記長さ調節部は、中空管状であり、下端は下部パイプに固着され、外周面にはねじ山が形成され、内周面の上部には下部に進むにつれて直径が小さくなる先細まり部が形成される連結具と、内部に嵌め込まれる上部パイプを固定するために複数個が等分割されて下部の一部が前記連結具の先細まり部に収納されるものであり、上部の外周面に係止溝が形成される楔部と、内周面に雌ねじ山が形成されて前記連結具の上部の外周面に螺合するものであり、前記楔部の係止溝の内部に上下動可能に嵌め込まれる楔係止突起が上端の内側に形成される第１の回転調節部と、を備えるが、前記楔部の内周面の下端から所定の高さまで円周方向に第１の鋸歯部が形成され、前記第１の鋸歯部の上部から内周面の上端まで円周方向に第２の鋸歯部が形成され、前記第１の鋸歯部及び第２の鋸歯部のうちのいずれか一つは、上部パイプの下方移動を抑えるために斜め上向きに形成され、残りの一つは上部パイプの上方移動を抑えるために斜め下向きに形成されるか、あるいは、山状に形成されることを特徴とする。
【００１７】
好ましくは、本発明による安全サポートにおいて、前記第１の鋸歯部は、斜め上向きに形成され、第２の鋸歯部は、斜め下向きに形成されるか、あるいは、山状に形成される。
【００１８】
また、好ましくは、本発明による安全サポートにおいて、前記連結具は、上部の第１の連結具及び下部の第２の連結具に分割されて形成されるが、前記第１の連結具及び第２の連結具の外周面にはねじ山が形成されて、第１の連結具の上部の外周面には前記第１の回転調節部が螺合し、前記第１の連結具の下部及び第２の連結具の外周面には、内周面に雌ねじ山が形成されて回転により第１の連結具と第２の連結具との間の距離を調節する第２の回転調節部が螺合する。
【００１９】
さらに、好ましくは、本発明による安全サポートにおいて、前記第２の連結具の下端の内周面には段付部が形成されて前記下部パイプは段付部３１３に締まりばめされる。
【００２０】
さらにまた、好ましくは、本発明による安全サポートにおいて、前記第１の連結具及び第２の連結具は、第１の連結具の下端が第２の連結具の上端に嵌め込まれるか、あるいは、第２の連結具の上端が第１の連結具の下端に嵌め込まれるように構成されて、前記第１の連結具の下部及び第２の連結具の上部の一部が重なり合う。
【００２１】
さらにまた、好ましくは、本発明による安全サポートにおいて、前記第１の連結具の下部及び第２の連結具の上部の重なり合って接する面には、上下垂直方向にガイド突起及びガイド溝部がそれぞれ配設される。
【発明の効果】
【００２２】
本発明に係る安全サポートによれば、下記の効果が得られる。
【００２３】
まず、第一に、上下部パイプの長さを調節する長さ調節部の楔部の内部に第２の鋸歯部を配設することから、引っ張り力が働いたり、外力により第１の回転調節部が回転したりする場合であっても、上部パイプの固定の解放や滑動が防がれる。その結果、安全事故が発生せず、鋳型などが安定的に支持される。
【００２４】
第二に、サポートに引っ張り力が働いた場合であっても、上部パイプが強固に固定されるので、部材を工場で製作して現場で組み立てるシステム足場にも適用される。
【００２５】
第三に、サポートを構成するサポートを構成する上下部パイプに穿孔をしないことから、断面の損失による座屈の危険性が遮断される。
【００２６】
第四に、連結具を第１及び第２の連結具に分割して形成するが、第２の回転調節部により第１及び第２の連結具の間の距離を調節する場合、サポートの長さがより精度よく調節される。
【図面の簡単な説明】
【００２７】
【図１】従来の在来式サポートを示す図である。
【図２】従来の建築用サポートを示す図である。
【図３】本発明の実施形態による安全サポートを示す断面図である。
【図４】本発明の実施形態による安全サポートを示す斜視図である。
【図５】本発明の実施形態による安全サポートを示す分解斜視図である。
【図６】本発明の様々な実施形態による楔部を示す断面図である。
【図７】本発明の他の実施形態による安全サポートを示す断面図である。
【図８】本発明の他の実施形態による安全サポートを示す斜視図である。
【図９】本発明の他の実施形態による安全サポートを示す分解斜視図である。
【図１０】本発明による安全サポートの作動関係を示す断面図である。
【図１１】本発明の実施形態による安全サポートにおける第１の連結具と第２の連結具との間の係合関係を示す断面図である。
【図１２】本発明の他の実施形態による安全サポートにおける第１の連結具及び第２の連結具を示す分解斜視図である。
【発明を実施するための形態】
【００２８】
以下、添付図面及び好適な実施形態により本発明について詳述する。
【００２９】
図３は、本発明の実施形態による安全サポートを示す断面図であり、図４は、本発明の実施形態による安全サポートを示す斜視図であり、図５は、本発明の実施形態による安全サポートを示す分解斜視図である。
【００３０】
本発明による安全サポートは、中空管状の下部パイプ１と、前記下部パイプ１の上端に嵌合する上部パイプ２と、前記上部パイプ２を下部パイプ１の上部に選択的に固定し、長さを調節する長さ調節部３と、を備える。
【００３１】
前記上部パイプ２は、外径が下部パイプ１の内径よりも小さいので、下部パイプ１の上端に嵌着可能である。前記上部パイプ２の上端には鋳型などを支持するように支持板などが連結される。
【００３２】
前記下部パイプ１は中空管状であり、下端は地面に位置し、上端は上部パイプ２と係合する。
【００３３】
前記上部パイプ２及び下部パイプ１としては、通常、鋼管が使用可能であるが、これに限定されない。
【００３４】
前記長さ調節部３は、上部パイプ２を下部パイプ１に固定する一方で、サポートの長さを調節するものであり、連結具３１と、楔部３２及び第１の回転調節部３３を備える。
【００３５】
すなわち、図３〜図５に示すように、前記長さ調節部３は、中空管状であり、下端は下部パイプ１に固着され、外周面にはねじ山３１１が形成され、内周面の上部には下部に進むにつれて直径が小さくなる先細まり部３１２が形成される連結具３１と、内部に嵌め込まれる上部パイプ２を固定するために複数個が等分割されて下部の一部が前記連結具３１の先細まり部３１２に収納されるものであり、上部の外周面に係止溝３２１が形成される楔部３２と、内周面に雌ねじ山３３１が形成されて前記連結具３１の上部の外周面に螺合するものであり、前記楔部３２の係止溝３２１の内部に上下動可能に嵌め込まれる楔係止突起３３２が上端の内側に形成される第１の回転調節部３３と、を備えるが、前記楔部３２の内周面の下端から所定の高さまで円周方向に第１の鋸歯部３２２が形成され、前記第１の鋸歯部３２２の上部から内周面の上端まで円周方向に第２の鋸歯部３２３が形成され、前記第１の鋸歯部３２２及び第２の鋸歯部３２３のうちのいずれか一つは、上部パイプ２の下方移動を抑えるために斜め上向きに形成され、残りの一つは上部パイプ２の上方移動を抑えるために斜め下向きに形成されるか、あるいは、山状に形成されることを特徴とする。
【００３６】
前記連結具３１は中空管状であり、下端は下部パイプ１に固着され、外周面にはねじ山３１１が形成され、内周面の上部には下部に進むにつれて直径が小さくなる先細まり部３１２が形成される。
【００３７】
前記連結具３１は、下部パイプ１に溶接されるが、図３に示すように、前記連結具３１の下端の内周面に段付部３１３を形成し、前記下部パイプ１を段付部３１３に締まりばめする。
【００３８】
前記下部パイプ１を連結具３１の段付部３１３に締まりばめすると、別途の溶接工程を行うことが不要になり、人力により下部パイプ１が抜去しないように強固に固定される。
【００３９】
前記連結具３１のねじ山３１１は、第１の回転調節部３３との係合のためのものであり、第１の回転調節部３３が係着される連結具３１の外周面の上端側にのみ形成される。
【００４０】
前記連結具３１の先細まり部３１２には楔部３２が嵌め込まれて上部パイプ２を押し付ける。
【００４１】
前記楔部３２には、連結具３１の先細まり部３１２に対応するように、外周面が下部に進むにつれて小さくなるように傾斜面が形成される。
【００４２】
前記楔部３２が連結具３１に嵌め込まれて先細まり部３１２に沿って移動すると、楔部３２がさらに押し付けられながら上部パイプ２を強く押し付ける。
【００４３】
前記楔部３２の内部には第１の鋸歯部３２２及び第２の鋸歯部３２３が形成されるが、これらの鋸歯部は、楔部３２の内部に嵌め込まれる上部パイプ２の外周面を押し付けて上部パイプ２を固定する。
【００４４】
特に、楔部３２の内側の上部に配設される第２の鋸歯部３２３は、引っ張り力、すなわち、上部パイプ２が引き抜かれる力が働いたり、他の外部の衝撃により第１の回転調節部３３が回転したりする場合、上部パイプ２の固定の解放や上部パイプ２の滑動を防いでサポートの安定性を高める。
【００４５】
このため、通常のサポートだけではなく、垂直材、水平材及び傾斜材などを工場で製作して現場で組み立てるシステム足場にも幅広く適用される。
【００４６】
サポートは、主として圧縮力、すなわち、上部パイプ２が下部パイプ１中に入り込もうとする力を主として受けるため、下方移動に対する抵抗力を上方移動に対する抵抗力よりも大きくしなければならない。
【００４７】
このため、後述する図６の（ｂ）に示すように、第２の鋸歯部３２３を下向きに傾ける場合、第１の鋸歯部３２２の区間の長さを第２の鋸歯部３２３の区間の長さよりも大きくすることが好ましい。
【００４８】
また、第２の鋸歯部３２３が山状に形成される場合、第２の鋸歯部３２３が下方移動に対する抵抗を分担するため、第１の鋸歯部３２２の区間の長さ及び第２の鋸歯部３２３の区間の長さを略同じくする（図６の（ａ））。
【００４９】
前記楔部３２は、複数個の楔片に等分割されて形成される。図４などに示す実施形態には、３つの楔片に分割されて形成される楔部３２が開示されるが、２つ、４つなどの楔片に分割されて形成されてもよい。
【００５０】
前記楔部３２の上部の外周面に形成された係止溝３２１には、第１の回転調節部３３の楔係止突起３３２が嵌め込まれる。前記第１の回転調節部３３の回転につれて、楔係止突起３３２は楔部３２を下方に押し付けて上部パイプ２を固定する。逆に、サポートの取り壊しに際しては、楔係止突起３３２が楔部３２を上方に押し付けて上部パイプ２の固定を解放する。
【００５１】
前記第１の回転調節部３３は、内周面に雌ねじ山３３１が形成されて連結具３１の上部の外周面に形成されたねじ山３１１と螺合する。
【００５２】
前記第１の回転調節部３３に形成された楔係止突起３３２は、上述した楔部３２の係止溝３２１の内部に上下動可能に嵌め込まれる。
【００５３】
本発明による安全サポートの上下部パイプ１、２の係合過程について説明すれば、下記の通りである。
【００５４】
まず、下部パイプ１から上部パイプ２を所望の適切な長さだけ引き出したり、下部パイプ１に上部パイプ２を所望の適切な長さだけ引き込んだりした後、下部パイプ１の上端に取り付けられた連結具３１のねじ山３１１に沿って第１の回転調節部３３を回転させて下方移動させる。
【００５５】
これにより、第１の回転調節部３３の楔係止突起３３２が上部パイプ２の外側に配設される楔部３２の係止溝３２１において楔部３２を下方に押し付けて、楔部３２が連結具３１の先細まり部３１２に乗って内側の下方に移動して締め付けられながら上部パイプ２が固定される。
【００５６】
このとき、楔部３２の内周面に形成された第１及び第２の鋸歯部３２２、３２３のうちのいずれか一つは、上部パイプ２が下部に滑ることを防ぐとともに上部パイプ２を強固に固定し、残りの一つが、外部から引っ張り力が働いても上部パイプ２が上部に滑って固定が解放されることを防ぐ。
【００５７】
図３の実施形態においては、第１の鋸歯部３２２が斜め上向きに形成されて上部パイプ２が下部に滑ることを防ぎ、第２の鋸歯部３２３が山状に形成されて引っ張り力による上部パイプ２の滑動を防ぐ。
【００５８】
逆に、上下部パイプ１、２の取り壊しに際しては、第１の回転調節部３３を反対方向に回転させて第１の回転調節部３３を連結具３１のねじ山３１１に沿って上方移動させる。
【００５９】
すると、第１の回転調節部３３の楔係止突起３３２が楔部３２の係止溝３２１の上部を押し付けて楔部３２が上方に移動しながら楔部３２の固定が解放される。このとき、楔部３２の外周面に形成されたリング溝３２４に弾性リング３２５を嵌め込む場合には、弾性リング３２５が楔部３２の各楔片を内側に結束して固定するため、サポートが取り壊され易い。
【００６０】
本発明においては、上部パイプ２及び下部パイプ１を係合する長さ調節部３の連結具３１と、楔部３２及び第１の回転調節部３３がいずれも上下部パイプ１、２の外側に配設されて上下部パイプ１、２を係合する。このため、上下部パイプ１、２に別途の穿孔をしなくてもよいので、上下部パイプ１、２の断面の損失による座屈の危険性が遮断される。
【００６１】
図６は、本発明の様々な実施形態による楔部を示す断面図である。
【００６２】
前記楔部３２に形成された第１の鋸歯部３２２は斜め上向きに形成され、第２の鋸歯部３２３は斜め下向きに形成されるか、あるいは、山状に形成される。
【００６３】
楔部３２の押付力は、小径の下部においてさらに大きいため、圧縮力に抵抗する斜め上向きの第１の鋸歯部３２２を下部に配置し、図６の（ｂ）に示すように、斜め下向きに形成されるか、あるいは、図６の（ａ）に示すように山状に形成される第２の鋸歯部３２３を上部に配置する。
【００６４】
図６の（ａ）及び（ｂ）に示すように、前記楔部３２の外周面には少なくとも一つ以上のリング溝３２４が形成される。
【００６５】
前記リング溝３２４には円形の弾性リング３２５を嵌め込んで複数の楔片に分割された楔部３２を結束する。
【００６６】
図７は、本発明の他の実施形態による安全サポートを示す断面図であり、図８は、本発明の他の実施形態による安全サポートを示す斜視図であり、図９は、本発明の他の実施形態による安全サポートを示す分解斜視図である。
【００６７】
図７〜図９に示すように、前記連結具３１は、上部の第１の連結具３１ａ及び下部の第２の連結具３１ｂに分割されて形成されるが、前記第１の連結具３１ａ及び第２の連結具３１ｂの外周面にはねじ山３１１が形成されて、第１の連結具３１ａの上部の外周面には前記第１の回転調節部３３が螺合し、前記第１の連結具３１ａの下部及び第２の連結具３１ｂの外周面には、内周面に雌ねじ山３４１が形成されて回転により第１の連結具３１ａと第２の連結具３１ｂとの間の距離を調節する第２の回転調節部３４が螺合する。
【００６８】
前記連結具３１が第１の連結具３１ａ及び第２の連結具３１ｂに分割されて形成される場合、上部パイプ２及び下部パイプ１を所定の長さに調節した後、第１の回転調節部３３を回して連結具３１及び上部パイプ２を固定し、第２の回転調節部３４を回して連結具３１の長さ、すなわち、第１の連結具３１ａと第２の連結具３１ｂとの間の距離を変更して微細に調節することにより、サポートの長さが精度よく調節される。
【００６９】
前記第１の連結具３１ａの上部の外周面には、第１の回転調節部３３の内周面の雌ねじ山３３１が螺合する。
【００７０】
前記第２の回転調節部３４の内周面に形成された雌ねじ山３４１は、第１の連結具３１ａと係合する上部及び第２の連結具３１ｂと係合する下部の雌ねじ山３４１が互いに反対方向に形成されて、第２の回転調節部３４の回転に際して第１の連結具３１ａ及び第２の連結具３１ｂが接離するように構成される。
【００７１】
図４及び図８などに示すように、前記第１の回転調節部３３及び／又は第２の回転調節部３４の外周面には、回転し易くするために回転突起３３３、３４２がそれぞれ配設される。
【００７２】
図７に示すように、前記第２の連結具３１ｂの下端の内周面には段付部３１３が形成されて前記下部パイプ１は段付部３１３に締まりばめされる。
【００７３】
前記下部パイプ１及び第２の連結具３１ｂは溶接により結合されるが、下部パイプ１を第２の連結具３１ｂの段付部３１３に締まりばめすると、溶接工程なしに人力により下部パイプ１が抜去されないように強固に固定される。
【００７４】
図１０は、本発明による安全サポートの作動関係を示す断面図である。前記上部パイプ２及び下部パイプ１間の係合のために、図１０の（ａ）に示すように、まず、下部パイプ１から上部パイプ２を所望の適切な長さだけ引き出したり、 下部パイプ１に上部パイプ２を所望の適切な長さだけ引き込む。
【００７５】
また、図１０の（ｂ）に示すように、下部パイプ１の上端に取り付けられた連結具３１のねじ山３１１に沿って第１の回転調節部３３を回転させて下方に移動させる。
【００７６】
これにより、第１の回転調節部３３の楔係止突起３３２が上部パイプ２の外側に配設される楔部３２の係止溝３２１において楔部３２を下方に押し付けて、楔部３２が連結具３１の先細まり部３１２に乗って内側の下方に移動して締め付けられながら連結具３１及び上部パイプ２が固定される。
【００７７】
最後に、図１０の（ｃ）に示すように、第２の回転調節部３４を回して第１の連結具３１ａと第２の連結具３１ｂとの間の距離を微細に調整してサポートの長さを精度よく合わせて、上部の鋳型などを安定的に支持する。
【００７８】
図１１は、本発明の一実施形態による第１の連結具及び第２の連結具間の係合関係を示す断面図である。図１１に示すように、前記第１の連結具３１ａ及び第２の連結具３１ｂは、第１の連結具３１ａの下端が第２の連結具３１ｂの上端に嵌め込まれるか、あるいは、第２の連結具３１ｂの上端が第１の連結具３１ａの下端に嵌め込まれるように構成されて、前記第１の連結具３１ａの下部及び第２の連結具３１ｂの上部の一部が重なり合うように構成される。
【００７９】
前記第１の連結具３１ａ及び第２の連結具３１ｂが分割されて形成される場合、第２の回転調節部３４が単独で座屈や横荷重に抵抗しなければならない。
【００８０】
このため、第１の連結具３１ａ及び第２の連結具３１ｂの一部を重なり合わせて座屈や横荷重に対する抵抗性を増大させる。
【００８１】
図１１は、第１の連結具３１ａが第２の連結具３１ｂの上端に嵌め込まれる実施形態を示すが、逆に、第２の連結具３１ｂが第１の連結具３１ａの下端に嵌め込まれてもよい。
【００８２】
図１２は、本発明の他の実施形態による第１の連結具及び第２の連結具を示す分解斜視図である。図１２に示すように、前記第１の連結具３１ａの下部及び第２の連結具３１ｂの上部の重なり合って接する面には、上下垂直方向にガイド突起３１４及びガイド溝部３１５がそれぞれ配設される。
【００８３】
前記第２の回転調節部３４の回転に際して、第１の連結具３１ａや第２の連結具３１ｂが第２の回転調節部３４につれて回転する場合、同じ長さにサポートを伸縮するために第２の回転調節部３４をさらに多く回転させなければならないため、サポートの高さの調節に長時間がかかる。
【００８４】
このため、第１の連結具３１ａ及び第２の連結具３１ｂが互いに回転することなく、垂直方向にのみ移動するように、ガイド突起３１４及びガイド溝部３１５が係合する。
【００８５】
図１２は、第１の連結具３１ａ及び第２の連結具３１ｂにそれぞれガイド突起３１４及びガイド溝部３１５が形成された実施形態を開示するが、逆に、第１の連結具３１ａ及び第２の連結具３１ｂにそれぞれガイド溝部及びガイド突起が形成されてもよい。
【００８６】
一方、図示はしないが、前記第１及び第２の回転調節部３３、３４は多角形の断面を有するように形成して回転され易くしてもよい。
【符号の説明】
【００８７】
１      下部パイプ
２      上部パイプ
３      長さ調節部
３１    連結具
３１ａ  第１の連結具
３１ｂ  第２の連結具
３１１  ねじ山
３１２  先細まり部
３１３  段付部
３１４  ガイド突起
３１５  ガイド溝部
３２    楔部
３２１  係止溝
３２２  第１の鋸歯部
３２３  第２の鋸歯部
３２４  リング溝
３２５  弾性リング
３３    第１の回転調節部
３３１  雌ねじ山
３３２  楔係止突起
３３３  回転突起
３４    第２の回転調節部
３４１  雌ねじ山
３４２  回転突起
【要約】
【課題】  上下部パイプの長さを調節する長さ調節部の楔部の内部に第２の鋸歯部を配設することから、引っ張り力が働いたり、外力により第１の回転調節部が回転したりする場合であっても、上部パイプの固定の解放や滑動を防いで安定性を向上させる安全サポートを提供すること。
【解決手段】  本発明の安全サポートは、中空管状の下部パイプと、前記下部パイプの上端に嵌合する上部パイプと、前記上部パイプを下部パイプの上部に選択的に固定し、長さを調節する長さ調節部と、を備える安全サポートにおいて、前記長さ調節部は、中空管状であり、下端は下部パイプに固着され、外周面にはねじ山が形成され、内周面の上部には下部に進むにつれて直径が小さくなる先細まり部が形成される連結具と、内部に嵌め込まれる上部パイプを固定するために複数個が等分割されて下部の一部が前記連結具の先細まり部に収納されるものであり、上部の外周面に係止溝が形成される楔部と、内周面に雌ねじ山が形成されて前記連結具の上部の外周面に螺合するものであり、前記楔部の係止溝の内部に上下動可能に嵌め込まれる楔係止突起が上端の内側に形成される第１の回転調節部と、を備える。
【選択図】      図７【図１】
0005873596.tif 000002
【図２】
0005873596.tif 000003
【図３】
0005873596.tif 000004
【図４】
0005873596.tif 000005
【図５】
0005873596.tif 000006
【図６】
0005873596.tif 000007
【図７】
0005873596.tif 000008
【図８】
0005873596.tif 000009
【図９】
0005873596.tif 000010
【図１０】
0005873596.tif 000011
【図１１】
0005873596.tif 000012
【図１２】
0005873596.tif 000013